(57)【特許請求の範囲】
【請求項１】
ハウジングの底部から端子が露出する検出部材と、前記ハウジングの底部との間に少なくとも一方側が開口された空間部を画成する壁部を有し、前記空間部内で前記端子に接続されるリード端子を埋設すると共に前記検出部材を保持する保持部材と、前記空間部に充填され、前記端子と前記リード端子との接続部を覆う封止材とを備え、
前記封止材と前記壁部及び前記ハウジングの底部とが密着されており、前記空間部が開口している前記一方側における前記封止材の前記壁部及び前記ハウジングの底部に沿った外周部の内側に凹部が形成されていることを特徴とする電気部品。
【請求項２】
前記一方側における前記ハウジングの底部には、前記空間部側に向かって幅が狭くなる窪み部が複数設けられており、この窪み部に前記封止材が充填されることを特徴とする請求項１記載の電気部品。
【請求項３】
前記壁部は、前記ハウジングの底部と対向する対向壁部と、この対向壁部と交差すると共に互いに対向する一対の側壁部とを有し、前記側壁部における前記ハウジングの底部近傍に前記空間部側に突出する突出部を設けたことを特徴とする請求項１又は請求項２記載の電気部品。
【請求項４】
前記保持部材には、前記一方側と反対側である他方側に前記空間部と連通する開口部を有する第２の壁部が形成されており、前記開口部に露出する前記封止材の当該開口部に沿った外周部の内側に凹部を設けたことを特徴とする請求項１から請求項３のいずれかに記載の電気部品。
【請求項５】
前記第２の壁部の開口部を複数に分割し、それぞれの前記開口部に露出する前記封止材の当該開口部に沿った外周部の内側に凹部を設けたことを特徴とする請求項４記載の電気部品。
【請求項６】
前記他方側における前記ハウジングの底部には、前記空間部側に向かって幅が狭くなる窪み部が複数設けられており、この窪み部に前記封止材が充填されると共に、前記第２の壁部には、前記一方側に突出する第２の突出部が前記ハウジングの底部と前記開口部との間に形成されていることを特徴とする請求項４又は請求項５記載の電気部品。
【請求項７】
前記ハウジングの底部と対向する前記壁部に、前記空間部に位置する鍔部を形成すると共に、当該鍔部から前記空間部側に前記リード端子を突出させたことを特徴とする請求項１から請求項６のいずれかに記載の電気部品。
【請求項８】
前記リード端子には前記一方側に貫通する貫通部が形成される一方、前記ハウジングの底部から突出した前記端子の先端が前記他方側に向くように折り曲げられ、前記貫通部に挿通されて前記リード端子と接続されることを特徴とする請求項１から請求項７のいずれかに記載の電気部品。
【請求項９】
前記封止材を構成する合成樹脂が、前記保持部材及び前記ハウジングを構成する合成樹脂よりも熱膨張率が大きいことを特徴とする請求項１から請求項８のいずれかに記載の電気部品。
【請求項１０】
前記保持部材の先端側をコネクタ部としたことを特徴とする請求項１から請求項９のいずれかに記載の電気部品。
【発明の詳細な説明】
【技術分野】
【０００１】
本発明は、電気部品に関し、例えば、車載用マイクロスイッチ装置などの防水処理が必要な電気部品に関する。
【背景技術】
【０００２】
従来、スイッチ本体の一端部に突設されている端子をリード線と接続し、この接続部分を封止材にて防水処理したスイッチ装置において、スイッチ本体のケースに上記端子を包囲して下端を開口するスカート部を延設し、このスカート部の側面に上記端子と上記リード線とを接続するための窓孔を設けると共に、リード線が挿通される透孔を有する蓋体でスカート部の下端開口を蓋閉可能としたものが提案されている（例えば、特許文献１参照）。このスイッチ装置においては、予め透孔に挿通させたリード線を上記端子に半田付けした後、蓋体でスカート部の下端開口を塞ぐことにより、半田付け部を封止するための封止材を窓孔から注入でき、安定した姿勢で封止材の注入作業を行うことができるものとなっている。
【先行技術文献】
【特許文献】
【０００３】
【特許文献１】特許第３０３８２８３号公報
【発明の概要】
【発明が解決しようとする課題】
【０００４】
上述した従来のスイッチ装置においては、スカート部と蓋体とにより全周が囲まれた内側部分に、防水処理のための封止材を注入して半田付け部の封止を行っているが、車載用等の環境変化が激しい場所で用いられると、スイッチ本体と封止材との密着性を保つことができなくなり、スイッチ本体内に水分が浸入する虞がある。また、従来のスイッチ装置においては、スカート部を蓋閉する蓋体の透孔にリード線が挿通された状態で端子に半田付けされることから、リード線の位置が定まり難く、これらを接続する際の作業が煩雑になるという問題がある。
【０００５】
本発明は、このような実情に鑑みてなされたものであり、リード端子と端子とを接続する際の作業効率を向上しつつ、環境変化が激しい場所で用いられた場合にも防水性を確保することができる電気部品を提供することを目的とする。
【課題を解決するための手段】
【０００６】
本発明の電気部品は、ハウジングの底部から端子が露出する検出部材と、前記ハウジングの底部との間に少なくとも一方側が開口された空間部を画成する壁部を有し、前記空間部内で前記端子に接続されるリード端子を埋設すると共に前記検出部材を保持する保持部材と、前記空間部に充填され、前記端子と前記リード端子との接続部を覆う封止材とを備え、前記封止材と前記壁部及び前記ハウジングの底部とが密着されており、前記空間部が開口している前記一方側における前記封止材の前記壁部及び前記ハウジングの底部に沿った外周部の内側に凹部が形成されていることを特徴とする。
【０００７】
上記電気部品によれば、検出部材の端子に接続されるリード端子を保持部材に埋設させていることから、リード端子の位置を一定位置に定めることができるので、リード端子と端子とを接続する際の作業効率を向上することができる。また、空間部が開口している一方側における封止材の一部に凹部を形成していることから、封止材の体積を減らして収縮量を低減すると共に、封止材の収縮方向を制御することができるので、封止材と壁部及びハウジングの底部との間の剥離を生じ難くすることができ、環境変化が激しい場所で用いられた場合にも防水性を確保することが可能となる。
【０００８】
上記電気部品において、前記一方側における前記ハウジングの底部には、前記空間部側に向かって幅が狭くなる窪み部が複数設けられており、この窪み部に前記封止材が充填されることが好ましい。この場合には、ハウジングの底部に、空間部側に向かって幅が狭くなる窪み部を設けたことから、当該窪み部により封止材の変化を機械的に抑制することができるので、封止材とハウジングの底部との間の剥離を効果的に防止することができ、より防水性を高めることが可能となる。
【０００９】
上記電気部品において、前記壁部は、前記ハウジングの底部と対向する対向壁部と、この対向壁部と交差すると共に互いに対向する一対の側壁部とを有し、前記側壁部における前記ハウジングの底部近傍に前記空間部側に突出する突出部を設けることが好ましい。この場合には、側壁部におけるハウジングの底部近傍に空間部側に突出する突出部を設けたことから、この突出部の周囲に封止材を充填することができるので、ハウジングの底部と封止材との密着性を向上でき、更に防水性を高めることが可能となる。
【００１０】
上記電気部品において、前記保持部材には、前記一方側と反対側である他方側に前記空間部と連通する開口部を有する第２の壁部が形成されており、前記開口部に露出する前記封止材の当該開口部に沿った外周部の内側に凹部を設けることが好ましい。この場合には、他方側に空間部と連通する開口部に露出す封止材の一部に凹部を設けたことから、他方側においても、封止材の体積を減らして収縮量を低減すると共に、封止材の収縮方向を制御することができるので、両方側からバランス良く封止材の壁部及びハウジングの底部との間の剥離を生じ難くすることが可能となる。
【００１１】
特に、上記電気部品においては、前記第２の壁部の開口部を複数に分割し、それぞれの前記開口部に露出する前記封止材の当該開口部に沿った外周部の内側に凹部を設けことが好ましい。この場合には、第２の壁部に設けられる開口部が複数に分割されていることから、第２の壁部の強度を確保することができ、第２の壁部に開口部を設ける場合においても保持部材の強度が落ちるのを防止することが可能となる。
【００１２】
上記電気部品において、前記他方側における前記ハウジングの底部には、前記空間部側に向かって幅が狭くなる窪み部が複数設けられており、この窪み部に前記封止材が充填されると共に、前記第２の壁部には、前記一方側に突出する第２の突出部が前記ハウジングの底部と前記開口部との間に形成されていることが好ましい。この場合には、ハウジングの底部に、空間部側に向かって幅が狭くなる窪み部を設けたことから、当該窪み部により封止材の変化を機械的に抑制することができるので、封止材とハウジングの底部との間の剥離を効果的に防止することができ、より防水性を高めることが可能となる。また、第２の壁部における、ハウジングの底部と開口部との間に第２の突出部を形成したことから、この第２の突出部の周囲に封止材を充填することができるので、ハウジングの底部と封止材との密着性を向上でき、更に防水性を高めることが可能となる。
【００１３】
上記電気部品においては、前記ハウジングの底部と対向する前記壁部に、前記空間部に位置する鍔部を形成すると共に、当該鍔部から前記空間部側に前記リード端子を突出させることが好ましい。この場合には、空間部に位置する鍔部をハウジングの底部と対向する壁部に形成したことから、この鍔部の周囲に封止材を充填することができるので、保持部材と封止材との密着性を向上することができる。また、この鍔部からリード端子を突出させていることから、仮に保持部材と封止材との間に剥離が生じ、空間部内に水が侵入した場合においても、鍔部によりリード端子側に水を浸入し難くすることが可能となる。
【００１４】
上記電気部品においては、前記リード端子には前記一方側に貫通する貫通部が形成される一方、前記ハウジングの底部から突出した前記端子の先端が前記他方側に向くように折り曲げられ、前記貫通部に挿通されて前記リード端子と接続されることが好ましい。この場合には、端子の先端がリード端子の貫通部に挿通されることから、リード端子の貫通部に端子の先端を挿通した状態で封止材を充填することができるので、リード端子と端子とを確実に接続することが可能となる。
【００１５】
例えば、上記電気部品においては、前記封止材を構成する合成樹脂が、前記保持部材及び前記ハウジングを構成する合成樹脂よりも熱膨張率が大きい場合に適用することが可能である。この場合には、封止材を構成する合成樹脂の熱膨張率が保持部材等に比べて大きい場合にも、適切に封止材と保持部材等の密着性を高めることができ、防水性を向上することが可能となる。
【００１６】
上記電気部品においては、前記保持部材の先端側をコネクタ部とすることが好ましい。この場合には、保持部材と一体的にコネクタ部が形成されることから、本電気部品が接続される被接続部に対する接続作業を簡素化することが可能となる。
【発明の効果】
【００１７】
上記電気部品によれば、検出部材の端子に接続されるリード端子を保持部材に埋設させていることから、リード端子の位置を一定位置に定めることができるので、リード端子と端子とを接続する際の作業効率を向上することができる。また、空間部が開口している一方側における封止材の一部に凹部を形成していることから、封止材の体積を減らして収縮量を低減すると共に、封止材の収縮方向を制御することができるので、封止材と壁部及びハウジングの底部との間の剥離を生じ難くすることができ、環境変化が激しい場所で用いられた場合にも防水性を確保することが可能となる。この結果、リード線と端子とを接続する際の作業効率を向上しつつ、環境変化が激しい場所で用いられた場合にも防水性を確保することが可能となる。
【図面の簡単な説明】
【００１８】
【図１】本発明の一実施の形態に係る電気部品としてのスイッチ装置の斜視図である。
【図２】上記実施の形態に係るスイッチ装置の保持部材の正面図（ａ）、背面図（ｂ）及び上面図（ｃ）である。
【図３】上記実施の形態に係るスイッチ装置のスイッチ本体の正面図（ａ）及び背面図（ｂ）である。
【図４】上記実施の形態に係るスイッチ装置の保持部材にスイッチ本体を組み込んだ状態の斜視図である。
【図５】上記実施の形態に係るスイッチ装置の封止材注入部に充填された封止材の斜視図である。
【図６】上記実施の形態に係るスイッチ装置の封止材注入部に充填された封止材の正面図（ａ）、側面図（ｂ）、背面図（ｃ）及び下面図（ｄ）である。
【発明を実施するための形態】
【００１９】
以下、本発明の実施の形態について添付図面を参照して詳細に説明する。なお、本実施の形態に係る電気部品は、例えば、環境変化が激しい場所で使用される車載用マイクロスイッチ装置などに好適に用いられるものであるが、これに限定されるものではなく、環境変化が激しい場所で用いられる任意の電気部品に適用することが可能である。以下においては、本実施の形態に係る電気部品が、環境変化が激しい場所で用いられるスイッチ装置に適用された場合について説明する。
【００２０】
図１は、本発明の一実施の形態に係る電気部品としてのスイッチ装置１の斜視図である。図１に示すように本実施の形態に係るスイッチ装置１は、絶縁性の樹脂材料を成形してなる保持部材２の一端部（上端部）に、検出部材としてのスイッチ本体３を組み込むと共に、このスイッチ本体３の下方側に形成される封止材注入部４に封止材５を注入することで、後述するスイッチ本体３の端子３２と保持部材２のリード端子２５との接続部を封止し、当該接続部における防水性を確保するものとなっている。保持部材２におけるスイッチ本体３とは反対側の他端部（下端部）は、側方側に折り曲げて成形されると共に、その内部にリード端子２５が露出する空間が形成されたコネクタ部６を構成している。
【００２１】
図２は、本実施の形態に係るスイッチ装置１の保持部材２の正面図（ａ）、背面図（ｂ）及び上面図（ｃ）である。保持部材２は、例えば、ポリブチレンテフタレート（ＰＢＴ）で成形され、その上端部にスイッチ本体３を保持する保持部２１と、この保持部２１の下端部から延出し、コネクタ部６に連結する連結部２２と、これらの保持部２１及び連結部２２の側面から延出して設けられ、スイッチ装置１を被取付面に固定する固定部２３とを有している。また、連結部２２の背面側には、被取付面に設けられた凹部に挿通され、スイッチ装置１の位置決めを行う突出片２４が設けられている。
【００２２】
保持部２１は、上方側に開口すると共に一方側（図２（ａ）に示す紙面手前側）に開口された空間部２１０を画成する、対向壁部としての底壁部２１１、この底壁部２１１と略直交状態で交差すると共に互いに対向した一対の側壁部２１２、並びに、第２の壁部としての奥壁部２１３とを有している。底壁部２１１には、その上端部に鍔部２１４を有する突出片２１５が一対設けられており、これらの鍔部２１４の上面から保持部材２の内部に埋設されたリード端子２５の一端（上端）が露出している。このリード端子２５は、金属材（金属板材）からなり、保持部材２を製造する際にインサート成形されるものであり、連結部２２の内部を通過してコネクタ部６内の空間にその他端（下端）が露出した状態となっている。また、リード端子２５の鍔部２１４から露出した板状の部分には、貫通部２５ａが形成されており、後述するスイッチ本体３の端子３２（３２ａ、３２ｂ）の先端部が挿通されて半田付けされるものとなっている。
【００２３】
一対の側壁部２１２における中央近傍の位置には、空間部２１０側に突出する突出部２１２ａが設けられている。また、奥壁部２１３における中央近傍には、空間部２１０側に突出する突出部２１３ａが設けられている。これらの突出部２１２ａと、突出部２１３ａとは連続して設けられており、概して空間部２１０の内壁面の全体に亘って突出するリブ形状を有している。これらの突出部２１２ａ及び突出部２１３ａの上方には、空間部２１０に装着されたスイッチ本体３を支持する一対の支持片２１２ｂが設けられている。これらの支持片２１２ｂは、側壁部２１２及び奥壁部２１３から、空間部２１０側に僅かに突出して設けられている。これらの支持片２１２ｂの突出幅は、突出部２１２ａ及び突出部２１３ａよりも小さく設けられている。
【００２４】
奥壁部２１３における突出部２１３ａの下方には、複数（本実施の形態では２つ）の開口部２１３ｂが設けられている。これらの開口部２１３ｂの間には、空間部２１０側に突出する柱部２１３ｃが設けられている。このように開口部２１３ｂの間に柱部２１３ｃを設けることにより、奥壁部２１３に開口部２１３ｂを設ける場合においても、保持部材２の強度が落ちるのを防止できるものとなっている。
【００２５】
図３は、本実施の形態に係るスイッチ装置１のスイッチ本体３の正面図（ａ）及び背面図（ｂ）である。スイッチ本体３は、例えば、絶縁性の樹脂材料で成形された概して箱状のハウジング３１と、このハウジング３１の底部から一部が突出するようにハウジング３１内に埋設された複数（本実施の形態では３本）の端子３２（端子３２ａ、３２ｂ、３２ｃ）と、ハウジング３１の一方の側壁部に回動可能に取り付けられたレバー部３３と、このレバー部３３に対する押圧操作に応じてハウジング３１内をスライド移動する操作突部３５を備えたスライダと、防水のためにこの操作突部３５の外周に取り付けられ、弾性復帰可能に設けられたラバー部材からなるカバー部３４とを含んで構成されている。なお、本実施の形態において、ハウジング３１は、金属材からなる端子３２をインサート成形により埋設したウェハとしての下ケースと、この下ケースに一体化される上ケースとにより構成されている。ここで、下ケースは、ポリフェニレンサルファイド樹脂（ＰＰＳ）により成形されており、後述する窪み部３１０、３１１が形成された上ケースは、ポリブチレンテレフタレート樹脂（ＰＢＴ）で成形されている。スイッチ本体３は、レバー部３３に対する押圧操作に伴うスライダ（操作突部３５）の位置に応じて端子３２ａ〜３２ｃ間で導通状態とされる組み合わせが変更され、当該押圧操作に応じた信号を外部出力可能に構成されている。なお、本実施の形態においては、レバー部３３に対する押圧操作時に、端子３２ａと端子３２ｃとが導通状態（オン状態）となり、非押圧操作時（初期状態）には、端子３２ａと端子３２ｃとが非導通状態（オフ状態）となるものである。
【００２６】
ハウジング３１の底部において、図３（ａ）に示す紙面手前側、すなわち、保持部２１の空間部２１０の開口部側には、保持部２１の底壁部２１１側、すなわち、端子３２側に向かって幅が狭くなる複数（本実施の形態では３つ）の窪み部３１０（窪み部３１０ａ、３１０ｂ、３１０ｃ）が設けられている。同様に、ハウジング３１の底部において、図３（ｂ）に示す紙面手前側、すなわち、保持部２１の奥壁部２１３側には、保持部２１の底壁部２１１側、すなわち、端子３２側に向かって幅が狭くなる複数（本実施の形態では３つ）の窪み部３１１（窪み部３１１ａ、３１１ｂ、３１１ｃ）が設けられている。
【００２７】
ハウジング３１の底部から突出した端子３２（端子３２ａ、３２ｃ）は、その下端部において、図３（ａ）に示す紙面奥側（図３（ｂ）に示す紙面手前側）に折り曲げられており、保持部材２にスイッチ本体３を組み込んだ場合にその先端部（より具体的には、端子３２ａ、３２ｃの先端部）がリード端子２５の貫通部２５ａに挿通されるように構成されている。なお、端子３２ｂは、本実施の形態においては、使用しないことから、折り曲げられることなく、途中で切断されたものとなっている。
【００２８】
図４は、本実施の形態に係るスイッチ装置１の保持部材２にスイッチ本体３を組み込んだ状態の斜視図である。図４に示すように、スイッチ本体３は、ハウジング３１の底面を一対の支持片２１２ｂに支持された状態で組み込まれる。この際、スイッチ本体３は、レバー部３３を上方側に延出させると共に、端子３２ａ、３２ｃがリード端子２５の貫通部２５ａに挿通された状態で保持部材２に保持されている。ハウジング３の側面の幅は、保持部２１の側壁部２１２間の幅と略同一に設けられており、ハウジング３の側面は、側壁部２１２の内壁に挟持された状態で保持されている。
【００２９】
封止材注入部４は、このように組み込まれたスイッチ本体３のハウジング３１の底面と、保持部２１の底壁部２１１との間に形成されている。そして、このように形成される封止材注入部４に封止材５が注入される。この場合、上述したように、スイッチ本体３は、ハウジング３１の底面を一対の支持片２１２ｂに支持された状態で組み込まれていることから、封止材５は、ハウジング３１の底面と、側壁部２１２の突出部２１２ａとの間にも充填されると共に、突出部２１２ａの下方側にも回り込んで充填されることとなり、スイッチ本体３（ハウジング３１）の底部と封止材５との密着性を向上でき、その防水性を高めることができるものとなっている。特に、封止材５は、ハウジング３１の底面に設けられた窪み部３１０、３１１にも充填されることとなり、封止材５の変化を機械的に抑制でき、スイッチ本体３（ハウジング３１）の底部と封止材５との密着性を向上できるものとなっている（図１参照）。また、底壁部２１１には鍔部２１４を有する突出片２１５が設けられていることから、封止材５は、鍔部２１４の上方側及び下方側に回り込んで充填されることとなり、保持部材２（底壁部２１１）と封止材５との密着性を向上できるものとなっている。さらに、この鍔部２１４からリード端子２５を突出させていることから、仮に保持部材２（底壁部２１１）と封止材５との間に剥離が生じ、空間部２１０内に水が侵入した場合においても、鍔部２１４によりリード端子３２側に水を浸入し難くすることが可能となる。さらに、端子３２ａ、３２ｃがリード端子２５の貫通部２５ａに挿通された状態で保持部材２に保持されていることから、封止材５は、リード端子２５の貫通部２５ａにスイッチ本体３の端子３２が挿通されて半田付けされた状態で充填されることとなり、リード端子２５と端子３２とを確実に接続できるものとなっている。
【００３０】
封止材注入部４に注入される封止材５は、接着性を有する絶縁性の樹脂材料（本実施の形態においては、ポリエステル樹脂）で構成される。この封止材５を構成するポリエステル樹脂は、スイッチ本体３のハウジング３１を構成するＰＢＴ、ＰＰＳや、保持部材２を構成するＰＢＴよりも熱膨張率が大きい特性を有している。そして、本実施の形態に係るスイッチ装置１において、封止材５は、図１に示すように、封止材注入部４に注入される封止材５の中央部分に、すなわち、底壁部２１１、側壁部２１２及びスイッチ本体３のハウジング３１の底部に沿った外周部の内側に凹部５１が形成されるように充填される。同様に、封止材５は、奥壁部２１３に形成された開口部２１３ｂの中央部分に、すなわち、開口部２１３ｂに沿った外周部の内側に凹部５２が形成されるように充填される（図６（ｃ）参照）。具体的には、図４に示す状態のスイッチ装置１を凹部５１、５２に対応した凸部を有する一対の金型（治具）内に配置して、加熱されて溶融した熱可塑性の樹脂（ホットメルト）をスイッチ本体３の下側に形成された空間部２１０（封止材注入部４）に、金型に設けられた孔を介して注入する。そして、樹脂が固化した後、スイッチ装置１を金型から取り出すと、図１に示す封止材５が封止材注入部４に充填された状態のスイッチ装置１を得ることができる。
【００３１】
ここで、このように封止材注入部４に充填された封止材５の形状について図５及び図６を用いて説明する。図５は、本実施の形態に係るスイッチ装置１の封止材注入部４に充填された封止材５の斜視図である。図６は、本実施の形態に係るスイッチ装置１の封止材注入部４に充填された封止材５の正面図（ａ）、側面図（ｂ）、背面図（ｃ）及び下面図（ｄ）である。なお、図５及び図６においては、説明の便宜上、封止材注入部４に充填された封止材５を抜き出したものであり、実際には同図に示すように、封止材５単体として存在するものではない。
【００３２】
図５及び図６（ａ）、（ｃ）に示すように、封止材注入部４に充填された封止材５の表面には、凹部５１、５２が設けられている。このように封止材５の表面に凹部５１、５２を設けたのは、第１に封止材注入部４に充填される封止材５の体積を減らすと共に、第２に封止材５の収縮方向を密着部分（スイッチ本体３のハウジング３１の底部、或いは、保持部材２の底壁部２１１）側にも向かわせるためである。前者のように、封止材５自体の体積を減らすことにより、封止材５全体の収縮量を低減することができ、密着部分から剥離しようとする力を抑制することが可能となる。また、後者のように、封止材５の収縮方向を密着部分側にも向かわせることにより、凹部５１、５２の側方の内壁部に対応する密着部分の封止材５を密着状態に維持することができ、密着部分から剥離しようとする力を抑制することが可能となる。仮に、凹部５１、５２を設けない場合には、封止材５の収縮方向が、密着部分から剥離する方向に限定されることとなり、密着状態に維持することが困難となる。このように封止材５の表面に凹部５１、５２を設けることにより、スイッチ本体３（ハウジング３１）と封止材５との間の密着性、並びに、保持部材２（底壁部２１１）と封止材５との密着性を向上でき、スイッチ本体３（ハウジング３１）と封止材５との間の剥離、並びに、保持部材２（底壁部２１１）と封止材５との間の剥離を生じ難くすることができるので、環境変化が激しい場所で用いられた場合にも防水性を確保することが可能となる。
【００３３】
なお、図６（ａ）、（ｃ）に示す封止材５の上面部には、ハウジング３１の窪み部３１０に注入された複数の突出片５３（５３ａ、５３ｂ、５３ｃ）が設けられ、窪み部３１１に注入された複数の突出片５４（５４ａ、５４ｂ、５４ｃ）が設けられている。また、図６（ａ）、（ｂ）、（ｃ）に示す封止材５の側面部には、保持部２１０の側壁部２１２の突出部２１２ａに応じて形成される凹部５５（５５ａ、５５ｂ）が設けられ、図６（ｃ）に示す封止材５の背面部には、保持部２１の奥壁部２１３の突出部２１３ａに応じて形成される凹部５６が設けられている。さらに、図５、図６（ｂ）、（ｄ）に示す封止材５の側面部（下面部）には、保持部２１の底壁部２１１の突出片２１５に応じて形成される凹部５７（５７ａ、５７ｂ）が設けられている。
【００３４】
以上説明したように、本実施の形態に係るスイッチ装置１によれば、スイッチ本体３の端子３２に接続されるリード端子２５を保持部材２に埋設させていることから、リード端子２５の位置を一定位置に定めることができるので、リード端子２５と端子３２とを接続する際の作業効率を向上することができる。また、空間部２１０が開口している一方側における封止材５の一部に凹部５１を形成していることから、封止材５の体積を減らして収縮量を低減すると共に、封止材５の収縮方向を制御することができるので、封止材５と保持部２１の底壁部２１１及び側壁部２１２、並びに、スイッチ本体３のハウジング３１の底部との間の剥離を生じ難くすることができ、環境変化が激しい場所で用いられた場合にも防水性を確保することが可能となる。
【００３５】
また、本実施の形態に係るスイッチ装置１において、保持部材２には、一方側と反対側である他方側に空間部２１０と連通する開口部２１３ｂを有する奥壁部２１３が形成されており、開口部２１３ｂに露出する封止材５の一部に凹部５２を設けていることから、他方側においても、封止材５の体積を減らして収縮量を低減すると共に、封止材５の収縮方向を制御することができるので、両方側からバランス良く封止材５と保持部２１の底壁部２１１及び側壁部２１２、並びに、スイッチ本体３のハウジング３１の底部との間の剥離を生じ難くすることが可能となる。
【００３６】
特に、本実施の形態に係るスイッチ装置１においては、奥壁部２１３に設けられる開口部２１３ｂが複数に分割されていることから、奥壁部２１３の強度を確保することができ、奥壁部２１３に開口部２１３ｂを設ける場合においても保持部材２の強度が落ちるのを防止することが可能となる。
【００３７】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３８】
例えば、上記実施の形態においては、本実施の形態に係る電気部品の一例としてスイッチ装置１を挙げ、その検出部材の一例としてスイッチ本体３を挙げて説明しているが、電気部品及び検出部材の内容については、これに限定されるものではなく適宜変更が可能である。例えば、検出部材として可変抵抗器を用いた位置センサや、磁石と磁気検出素子を用いた磁気式スイッチ等に適用することが可能である。
【符号の説明】
【００３９】
１  スイッチ装置（電気部品）
２  保持部材
２１  保持部
２１０  空間部
２１１  底壁部
２１２  側壁部
２１２ａ  突出部
２１２ｂ  支持片
２１３  奥壁部
２１３ａ  突出部
２１３ｂ  開口部
２１３ｃ  柱部
２１４  鍔部
２１５  突出片
２２  連結部
２３  固定部
２４  突出片
２５  リード端子
２５ａ  貫通部
３  スイッチ本体（検出部材）
３１  ハウジング
３１０（３１０ａ、３１０ｂ、３１０ｃ）  窪み部
３１１（３１１ａ、３１１ｂ、３１１ｃ）  窪み部
３２（３２ａ、３２ｂ、３２ｃ）  端子
３３  レバー部
３４  カバー部
４  封止材注入部
５  封止材
５１、５２  凹部
５３（５３ａ、５３ｂ、５３ｃ）  突出片
５４（５４ａ、５４ｂ、５４ｃ）  突出片
５５（５５ａ、５５ｂ）  凹部
５６  凹部
５７（５７ａ、５７ｂ）  凹部
６  コネクタ部
【図１】
0005497536.tif 000002
【図２】
0005497536.tif 000003
【図３】
0005497536.tif 000004
【図４】
0005497536.tif 000005
【図５】
0005497536.tif 000006
【図６】
0005497536.tif 000007